(57)【要約】      （修正有）【課題】  ティッシュボックスの内部に設けられる遊びの空間により、ティッシュの束が、ティッシュボックス内で動いてしまうことが、ティッシュボックスからのティッシュのスムーズな取出しの実現に障害となっていた。そこで、ティッシュの束がボックス内で動かない容器を提供する。【解決手段】  開口部ＯＰ１を介して取り出されるティッシュが重ねられることにより構成され、かつ重ねられるティッシュに応じた所定の厚みを有する束２４を内部に収納する箱部１と、箱部１の内部に向けて突出するように、かつ束２４の厚みに相当する束２４の側面に当接するように構成される支持部１８と、を備え、束２４は、支持部１８と箱部１の内面との間に、又は支持部同士の間に保持され、開口部ＯＰ１に対してずれないように配置される。【選択図】  図３
2008184161.tif 000002
【特許請求の範囲】
【請求項１】
開口部を介して取り出される衛生紙が重ねられることにより構成され、かつ重ねられる前記衛生紙に応じた所定の厚みを有する束を内部に収納する箱部と、
前記箱部の内部に向けて突出するように、かつ前記束の厚みに相当する前記束の側面に当接するように構成される支持部と、
を備え、
前記束は、前記支持部と前記箱部の内面との間に、又は前記支持部同士の間に保持され、前記開口部に対してずれないように配置される、衛生紙の収納容器。
【請求項２】
前記開口部の周縁の少なくとも一部は、前記箱部にあらかじめ形成された折曲線により規定され、
前記折曲線に基づいて前記箱部が部分的に前記箱部の外側に折り曲げられることで形成された蓋部が、前記開口部の周縁の少なくとも一部に設けられることを特徴とする請求項１記載の衛生紙の収納容器。
【請求項３】
前記開口部が設けられる前記箱部の第１面は、第１軸線に沿って延在する面であって、
前記開口部は、実質的に平行関係にある２つの前記折曲線を含んで規定されるとともに、前記第１軸線に沿って延在するに従って前記第１軸線に近づくように構成されることを特徴とする請求項１又は２記載の衛生紙の収納容器。
【請求項４】
前記開口部は、前記箱部の第１面と当該第１面に対向する第２面とを結ぶ面にも設けられることを特徴とする請求項１乃至３記載の衛生紙の収納容器。
【請求項５】
前記束は、前記衛生紙の一方が他方を挟むようにして重ねられて構成されることを特徴とする請求項１乃至４記載の衛生紙の収納容器。
【請求項６】
前記支持部は、前記箱部の部分が、前記箱部の内側に折り曲げされることにより構成されることを特徴とする請求項１乃至請求項５記載の衛生紙の収納容器。
【請求項７】
前記箱部の部分が前記箱部の内側に折り曲げられることにより前記箱部の外面には開口又は凹みが設けられることを特徴とする請求項６記載の衛生紙の収納容器。
【請求項８】
前記支持部は、前記開口部が設けられる前記箱部の第１面又は当該第１面に対向する第２面に設けられ、
前記束の前記側面に当接するように構成される前記支持部の面は、前記箱部の外面を構成していた面であることを特徴とする請求項１乃至請求項７記載の衛生紙の収納容器。
【請求項９】
前記支持部は、前記開口部が設けられる前記箱部の第１面及び当該第１面に対向する第２面を結ぶ側面から規定される縁に設けられ、
前記束の前記側面に当接するように構成される前記支持部の面は、前記箱部の内面を構成していた面であることを特徴とする請求項１乃至請求項７記載の衛生紙の収納容器。
【請求項１０】
前記支持部は、前記開口部が設けられる前記箱部の第１面及び当該第１面に対向する第２面を結ぶ側面に設けられ、
前記束の前記側面に当接するように構成される前記支持部の面は、前記箱部が部分的に切断されることで露出する面を含むことを特徴とする請求項１乃至請求項７記載の衛生紙の収納容器。
【請求項１１】
複数の衛生紙が交互に重ねられることにより構成され、かつ重ねられる前記衛生紙の枚数に応じた所定の厚みを有する束と、
前記衛生紙の取り出し用の開口部を有し、かつ前記束を内部に収納する箱部と、
前記箱部の内部に向けて突出する支持部と、
を備え、
前記支持部は、前記束の厚みに相当する前記束の側面に当接し、
前記束は、前記支持部と前記箱部の内面との間に、又は前記支持部同士の間に保持される、衛生紙の収納容器。
【請求項１２】
前記開口部は、前記箱部が部分的に切断されることにより構成され、かつ、第２の衛生紙が第１の衛生紙及び第３の衛生紙を内側に挟み込んだ態様が現れる前記束の側面に対向する前記箱部の面に設けられることを特徴とする請求項１１記載の収納容器。
【請求項１３】
前記箱部は、シートが部分的に重ね合わされることで形成される部材であって、
前記開口部は、前記箱部に形成された切断線が切断されることによって形成され、
当該切断線は、前記シートが重ねあわされていない領域に配置される、又は前記シートが３層以上重ねあわされている領域には配置されないことを特徴とする請求項１１乃至１２記載の収納容器。
【発明の詳細な説明】
【技術分野】
【０００１】
本発明は、衛生紙の収納容器に関する。
【背景技術】
【０００２】
従来から衛生紙の収納容器に関しては、様々な観点から改良が重ねられている（特許文献１乃至３参照）。特に、近年においては、日常生活のあらゆる場面でティッシュボックスが使用されることもあり、この点を考慮したよりユーザーフレンドリーな構造を消費者に提案することが強く望まれている。また、これと同時に、近年の環境問題を背景として、よりエコフレンドリーな構造も強く求められている。
【０００３】
特許文献１及び特許文献２には、いわゆるフィルムレスなティッシュボックスが開示されている。また、特許文献３には、衛生紙の取り出し性能を改善したティッシュボックスが開示されている。
【特許文献１】特開２００６−５１９７５号公報
【特許文献２】特開２００４−３５２３３６号公報
【特許文献３】特開２００６−１１５８８３号公報
【０００４】
上述のように、今日に至っては、ティッシュボックスは、生活のあらゆる場面にて使用されているが、ティッシュボックスの内部に設けられる遊びの空間（ティッシュボックスの内面とティッシュの束の外面との間の空間）により、ティッシュボックス内でティッシュの束が動いてしまう問題がある。
【０００５】
ティッシュの束がティッシュボックス内で動いてしまうと、ティッシュボックスに設けられた取出口からティッシュをスムーズに取出すことができない場合がある。これは、ティッシュの束が、ティッシュボックスの中心部分からずれた位置にある場合、ティッシュボックスの取出口を介してティッシュボックスからティッシュを取出す際に、取出されるティッシュと取出口との間に生じる摩擦がより大きなものとなる場合があるためである。結果として、商品の購入者はティッシュボックスからスムーズにティッシュを取出すことができない場合がある。かかる点は、例えば、磁力等を利用して、ティッシュボックスを冷蔵庫等の扉に固定させるような場合に特に問題となる。
【０００６】
なお、ティッシュボックスに設けられる上述の遊びの空間は、ロボット等の自動生産技術を利用してティッシュボックスを製造する場合には、ティッシュボックスの製造歩留まりを一定以上に保つために必要なものである。
【０００７】
図３１に、ティッシュボックス内におけるティッシュの束の動きを説明するための説明図を示す。図３１（ａ）は、理想的な場合である。図３１（ｂ）及び（ｃ）は、ティッシュボックス内でティッシュの束がずれた場合である。
【０００８】
図３１（ａ）に示すように、理想的な場合には、ティッシュボックス内にあるティッシュの束は、ティッシュボックス内で略中央に配置される。かかる場合は、ティッシュボックスを設計した者の意図した場合であって、ティッシュボックスの略中央に設けられた取出口から、ティッシュは好適に取り出されることが可能である。
【０００９】
他方、図３１（ｂ）に示すように、ティッシュボックス内でティッシュの束が紙面に向かって左方向にずれた場合は、ティッシュボックスを設計した者の意図しない場合であって、ティッシュボックスの取出口から好適にティッシュが取り出されることができない場合がある。図３１（ｂ）の場合は、図３１（ａ）の場合と比べて、取り出されるティッシュと取出口との間で、設計者の意図に反して、より大きな摩擦力が生じる場合があるからである。場合によっては、取り出されるティッシュが部分的に破れることもある。なお、取出口は、図３１（ａ）の場合を想定して、ティッシュボックスの上面の所定領域に設けられることが一般的である。なお、図３１（ｃ）のように、紙面に向かって右方向にティッシュの束がずれた場合も、図３１（ｂ）の場合の説明と同様である。重複する説明は省略する。
【発明の開示】
【発明が解決しようとする課題】
【００１０】
上述のように、収納容器（ティッシュボックス）の内部に設けられる遊びの空間（ティッシュボックスの内面とティッシュボックス内のティッシュの束の外面との間の空間）により、衛生紙（ティッシュ）の束が、収納容器（ティッシュボックス）内で動いてしまうことが、収納容器（ティッシュボックス）からの衛生紙（ティッシュ）のスムーズな取出しの実現に障害となっていた。
【課題を解決するための手段】
【００１１】
本発明にかかる衛生紙の収納容器は、開口部を介して取り出される衛生紙が重ねられることにより構成され、かつ重ねられる前記衛生紙に応じた所定の厚みを有する束を内部に収納する箱部と、前記箱部の内部に向けて突出するように、かつ前記束の厚みに相当する前記束の側面に当接するように構成される支持部と、を備え、前記束は、前記支持部と前記箱部の内面との間に、又は前記支持部同士の間に保持され、前記開口部に対してずれないように配置される。本発明にかかる衛生紙の収納容器は、複数の衛生紙が交互に重ねられることにより構成され、かつ重ねられる前記衛生紙の枚数に応じた所定の厚みを有する束と、前記衛生紙の取り出し用の開口部を有し、かつ前記束を内部に収納する箱部と、  前記箱部の内部に向けて突出する支持部と、を備え、前記支持部は、前記束の厚みに相当する前記束の側面に当接し、前記束は、前記支持部と前記箱部の内面との間に、又は前記支持部同士の間に保持される。
【００１２】
束が、支持部と箱部の内面との間に、又は支持部同士の間に保持されることで、開口部に対して位置ずれが生じることが抑制される。よって、商品の購入者は、よりスムーズに衛生紙を取り出すことができる。
【発明の効果】
【００１３】
収納容器（ティッシュボックス）の内部に設けられる遊びの空間（ティッシュボックスの内面とティッシュボックス内のティッシュの束の外面との間の空間）により、衛生紙（ティッシュ）の束が、収納容器（ティッシュボックス）内で動いてしまうことが抑制され、収納容器（ティッシュボックス）からの衛生紙（ティッシュ）のよりスムーズな取出しを実現できる。
【発明を実施するための最良の形態】
【００１４】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した場合を前提として用いるものとする。
【００１５】
〔第１の実施の形態〕
図１乃至図５を用いて、本発明の第１の実施の形態について説明する。図１は、ティッシュボックスＢＸ１の概略的な斜視図である。図２（ａ）は、ティッシュボックスＢＸ１の上面図であり、図２（ｂ）は、ティッシュボックスＢＸ１の下面図である。図３は、図１のＸ−Ｘ間の概略的な断面図である。図４は、ティッシュが重ねられることで構成されるティッシュの束の構成を説明するための説明図である。図５は、ティッシュボックスＢＸ１内でのティッシュの束の移動が抑制されることを説明するための説明図である。
【００１６】
図１に、ティッシュボックス（収納容器）ＢＸ１を示す。ティッシュボックスＢＸ１は、軸線（第１軸線）ＡＸに沿って延在する長尺な直方体状の箱部１を有する。箱部１は、上面１０、下面１１（不図示）、側面１２を有する。上面（第１面）１０は、軸線ＡＸに沿って延在する面である。下面（第２面）１１は、上面１０に対向する面であり、上面１０と同様に、軸線ＡＸに沿って延在する面である。側面１２は、上面１０の縁と下面１１の縁とを結ぶ面として構成される。箱部１は、矩形状の上面１０及び下面１１に対応して、４つの側面１２を有する。
【００１７】
図１に示すように、箱部１の上面１０には、折曲線Ｌ１、Ｌ２が設けられる。また、箱部１の上面１０には、切断線ＤＬ１、ＤＬ２、ＤＬ３が設けられる。なお、本実施形態にかかるティッシュボックスＢＸ１は、いわゆる取出口（開口部）にフィルムが設けられていないフィルムレスなティッシュボックスである。
【００１８】
切断線ＤＬ１〜ＤＬ３が切断されることにより、箱部１の上面１０には、箱部１の内部に収納されるティッシュの取出口ＯＰ１が形成される。なお、箱部１の上面１０に設けられる取出口ＯＰ１は、折曲線Ｌ１、切断線ＤＬ１、折曲線Ｌ２、切断線ＤＬ２によって規定される。取出口ＯＰ１は、軸線ＡＸに沿って延在する長尺な開口である。
【００１９】
切断線ＤＬ１〜ＤＬ３が切断された後、箱部１の上面１０を構成していた部分が、折曲線Ｌ１を軸として箱部１の外側に起立されることにより蓋部１５が形成される。同様に、箱部１の上面１０を構成していた部分が、折曲線Ｌ２を軸として箱部１の外側に起立させることにより蓋部１６が形成される。蓋部１５、１６は、ティッシュボックスの取出口ＯＰ１の周縁に設けられる。そして、次に取出されるティッシュを挟持するとともに、ティッシュボックスの取出口にゴミ等の異物が進入することを抑制する。
【００２０】
本実施形態においては、図１に示すように、箱部１の上面１０には、切断線ＤＬ７、折曲線Ｌ５、が設けられる。切断線ＤＬ７が切断された後、箱部１の上面１０を構成していた部分が、折曲線Ｌ５を軸として箱部１の内側に起立されることにより、箱部１の内側に突出する支持部１７が形成される。尚、起立されたときの支持部１７の概略形状は、円形の一部が欠けた形状である。
【００２１】
支持部１７は、箱部１の内部に突出するように構成され、箱部１の外面を構成していた面で、ティッシュの束２４の側面を当接するように構成される。かかる構造により、ティッシュの束は、支持部１７の面と箱部１の内面との間に挟まれて所定の位置に固定される。このように、ティッシュの束２４が、箱部１内の所定の位置に配置（固定）されることにより、購入者は、箱部１の取出口ＯＰ１からスムーズにティッシュを取出すことができる。これは、ティッシュの束２４が所定の位置に配置されることで、ティッシュの束は、箱部１に設けられる取出口に対してずれることが抑制されるためである。
【００２２】
なお、図２を参酌すれば明らかなように、箱部１の下面１１には、上述の上面１０で説明したものと同様の構造が設けられる。
【００２３】
図２（ａ）に、ティッシュボックスＢＸ１の上面１０の構成図を示す。図２（ｂ）に、ティッシュボックスＢＸ１の下面１１の構成図を示す。なお、図２（ａ）は、左利きの購入者向けのものである。図２（ｂ）は、右利きの購入者向けのものである。ティッシュボックスＢＸ１の表裏に、右利き用の面、左利き用の面を設けることにより、購入者の利き手がどちらの場合であっても対応することが可能なティッシュボックスを提供することができる。なお、図２（ａ）の構成が左利きの方に適することの理由、図２（ｂ）の構成が右利きの方に適する理由、については後述する。但し、どちらの利き手に適するかどうかは人の好みも影響するものであるから、図２（ａ）の構成が右利きの方に適する場合、図２（ｂ）の構成が左利きの方に適する場合も考えられる。このような場合であっても、本実施形態のように、ティッシュボックスＢＸ１の表面及び裏面のそれぞれに対称的な取出口を設ければ何ら問題は生じない。
【００２４】
図１での説明と重複するが、図２（ａ）に示すように、箱部１の上面１０には、折曲線Ｌ１、Ｌ２が設けられる。また、箱部１の上面１０には、切断線ＤＬ１、ＤＬ２、ＤＬ３が設けられる。
【００２５】
上述した蓋部１５は、切断線ＤＬ１〜ＤＬ３が切断された状態で、折曲線Ｌ１を軸として、箱部１の上面１０を構成していた部分を箱部１の外側に折り曲げることにより形成される。このように形成された蓋部１５は、折曲線Ｌ１を軸として揺動可能に構成され、通常の使用状態では、物理的な復元力に基づいて、箱部１の上面１０に倒れるように構成される。箱部１の上面１０に設けられる蓋部１６は、上述の蓋部１５に対応する。但し、折曲線Ｌ１には折曲線Ｌ２が対応する。取出されるティッシュは、蓋部１５と蓋部１６により挟まれることにより、次に簡単に引き出されることができるように構成されている。
【００２６】
折曲線Ｌ１及びＬ２は、軸線ＡＸに沿って延在するに従って、軸線ＡＸに近づくように構成される（図１を併せて参照）。かかる構成により、箱部１の上面１０に設けられる取出口は、上面１０の長手方向に沿って傾斜するように構成される。なお、箱部１の上面１０は、軸線ＡＸに沿って軸線ＡＸに対して平行に延在する面である。このように取出口が構成されることにより、取出口が上面１０の長手方向に平行に構成される場合と比較して、取り出されるティッシュは、より好適に取出口に保持される。
【００２７】
上述のように、箱部１の上面１０に設けられる取出口ＯＰ１は、折曲線Ｌ１、切断線ＤＬ１、折曲線Ｌ２、切断線ＤＬ２によって規定される。そして、本実施形態においては、取出口にはフィルムが設けられていない。箱部１の取出口から取出されるティッシュは、折曲線Ｌ１又は折曲線Ｌ２のいずれかに沿って、蓋部１５又は蓋部１６と箱部１の上面１０との間の縁にガイドされながら取出される。フィルムレスな取出口とすることにより、ティッシュボックスのリサイクル化が促進されるとともに、消費者はティッシュボックスに取出口を設ける際にゴミが発生することも抑制される。
【００２８】
また、左利きの購入者は、図２（ａ）の場合、より少ない負担で、箱部１の内部に収納されたティッシュを取出すことができる。これは、利き手のひじを支点として、利き手を体の内側方向に引き込んでティッシュを取出すよりも、利き手のひじを支点として、利き手を体から外側方向に放り出すようにティッシュを取出すことのほうが身体的に楽と感じる場合があるからである。
【００２９】
なお、この点に関しては、人の好みの影響も強く影響する点は上述したとおりである。従って、利き手のひじを支点として、利き手を体から外側方向に放り出すようにティッシュを取り出すことよりも、利き手のひじを支点として、利き手を体から内側方向に引き込んでティッシュ取り出すほうが身体的に楽と感じる場合もある。この場合には、図２（ａ）の場合は、右利きの購入者向けとなる。本実施形態のように、ティッシュボックスＢＸ１の表裏に、右利き用の面、左利き用の面を設けることにより、購入者の好みがどちらの場合であっても対応することが可能である。
【００３０】
本実施形態においては、箱部１の上面１０に、折曲線Ｌ５、切断線ＤＬ７が設けられる。上述のように、切断線ＤＬ７が切断された状態で、箱部１の上面１０を構成していた部分が、折曲線Ｌ５を軸として箱部１の内側に起立されることにより、箱部１の内部に突出する支持部１７が形成される。
【００３１】
図２（ｂ）に示すように、箱部１の下面１１には、折曲線Ｌ３、Ｌ４が設けられる。また、箱部１の下面１１には、切断線ＤＬ４、ＤＬ５、ＤＬ６が設けられる。また、箱部１の下面１１に、折曲線Ｌ６、切断線ＤＬ８が設けられる。
【００３２】
図２（ｂ）に示した下面の構成は、図２（ａ）に示した上面の構成と略等しい。折曲線Ｌ３は折曲線Ｌ２に対応し、折曲線Ｌ４は折曲線Ｌ１に対応し、切断線ＤＬ４は切断線ＤＬ２に対応し、切断線ＤＬ５は切断線ＤＬ１に対応し、切断線ＤＬ６は切断線ＤＬ３に対応する。蓋部１９は蓋部１５に対応し、蓋部２９は蓋部１６に対応する。支持部１８は、支持部１７に対応する。
【００３３】
図２（ａ）で説明した点とは異なり、図２（ｂ）に示した下面１１の場合には、折曲線Ｌ３及びＬ４は、軸線ＡＸに沿って延在するに従って、軸線ＡＸから離れるように構成される。他の点は同様であるから重複する説明は省略する。
【００３４】
図３に、図１のＸ−Ｘ間の概略的な断面図を示す。なお、図３には、箱部１の上面１０に設けられた切断線ＤＬ１〜ＤＬ３は切断され、折曲線Ｌ１を軸として蓋部１５が起立させられ、折曲線Ｌ２を軸として蓋部１６が起立させられた状態であるものとする。なお、図３には、蓋部１５、１６は、いずれも図示されていない。また、箱部１の下面１１に設けられた切断線ＤＬ８が切断され、折曲線Ｌ６を軸として支持部１８が箱部１の内側に起立された状態であるものとする。すなわち、図３には、左利きの購入者が、ティッシュボックスＢＸ１を使用状態とした場合の図が示されている。
【００３５】
図３に示すように、ティッシュボックスＢＸ１は、箱部１、ティッシュが重ねられて構成された束２４を有する。
【００３６】
箱部１は、基部２０、側部２１、突出部２２を有する箱状の部材である。基部２０は、箱部１の内面に相当する面２０ａと箱部１の外面に相当する面２０ｂを有する板状の部材である。基部２０には、ティッシュの束２４が載置される。側部２１は、基部２０の周縁部分を基点として、ティッシュの束２４の厚み方向に沿って延在する部材である。側部２１は、箱部１の内面に相当する面２１ａと箱部１の外面に相当する面２１ｂを有する板状の部材である。突出部２２は、側部２１の頂端から、基部２０に載置されたティッシュの束２４側に向かって延在する部材である。突出部２２は、箱部１の内面に相当する面２２ａと箱部１の外面に相当する面２２ｂとを有する。箱部１に設けられる取出口ＯＰ１は、突出部２２の頂端を含んで領域として規定される。
【００３７】
箱部１は、基部２０から箱部１の内部に突出する支持部１８を有する。支持部１８は、箱部１の内面に相当する面１８ａ、箱部１の外面に相当する面１８ｂを有する板状の部材である。なお、支持部１８は、箱部１の基部２０が折り曲げられることにより形成される。なお、箱部１の基部２０の所定部分が起立されることで支持部１８が形成されると同時に、箱部１の基部２０には開口ＯＰ２が形成される。なお、開口ＯＰ２は、適宜シール性の材料等により密閉すると良い。また、支持部１８は、箱部１とは別の部材で構成してもよい。
【００３８】
ティッシュ（衛生紙）が複数段重ねられることにより構成される束２４は、箱部１の下面１１に載置される。なお、束２４は、重ねられるティッシュの段数に応じた厚み（所定の厚み）を有する。なお、ティッシュは、衛生紙の一例である。衛生紙は、ペーパータオル、ワッティング（紙綿）、ちり紙等、他の様々な使い捨てタイプの紙状の材料を含む概念である。なお、衛生紙は、紙状の部材であれば良く、植物繊維（パルプ）を材料とするものに限られない。また、その具体的な形状は任意である。
【００３９】
ここで、図４を参照して、ティッシュの束２４（以下、単に束２４と呼ぶこともある。）の構成について具体的に説明する。なお、図４には、支持部１８の面１８ｂ（箱１の側面１２ｂ）から見た構成図である。
【００４０】
図４に示すように、束２４は、複数のティッシュが、幾段にも重ねられることにより構成される。このとき、下段のティッシュが上段に積まれるティッシュを挟み込む態様で重ねられていく。
【００４１】
図４に示すように、１段目のティッシュＰｅｐ１は、２段目のティッシュＰｅｐ２を挟む。２段目のティッシュＰｅｐ２は、３段目のティッシュＰｅｐ３を挟む。３段目のティッシュＰｅｐ３は、４段目のティッシュＰｅｐ４を挟む。５段目のティッシュＰｅｐ５は、６段目のティッシュＰｅｐ６を挟む。以下、同様にして、下段のティッシュが上段に積まれるティッシュを挟み込む態様で重ねられていく。そして、このような態様で、幾段にも重ねられたティッシュは圧縮されてティッシュの束２４として構成される。よって、ティッシュの束２４は、重ねられるティッシュの段数に応じた厚みを有する。本明細書では、このティッシュの束２４の厚みに相当する面を、ティッシュの束２４の側面とする。ティッシュの束２４の側面は、ティッシュが重ねられることで形成される面である。なお、重ねられるティッシュは矩形状（正方形状又は長方形状）であるものとする。
【００４２】
再び、図３に戻って説明する。図３に示すように、支持部１８の面１８ｂは、束２４の側面２４ａに当接されるように構成される。また、このとき、箱部１の側部２１の面２１ａは、束２４の側面２４ｂに当接されるように構成される。
換言すると、束２４の側面２４ａは支持部１８の面１８ｂに対向し、束２４の側面２４ｂは側部２１の面２１ａに対向して配置される。なお、束２４の側面２４ｂは、束２４の側面２４ａに対向する側面である。
【００４３】
かかる構成により、束２４は、支持部１８の面１８ｂと側部２１の面２１ａとの間に保持される。換言すると、束２４は、支持部１８と箱部１の内面により保持される。そして、箱部１に設けられる取出口ＯＰ１に対して束２４がずれることが抑制される。例えば、ティッシュボックスＢＸ１が、冷蔵庫の扉部分にマグネット等により取り付けられたとしても、束２４が箱部１の内部で、取出口ＯＰ１に対してずれることが抑制される。なお、図面上は明らかではないが、束２４は、多少の遊びをもって、支持部１８の面１８ｂと側部２１の面２１ａとの間に保持されるものとする。
【００４４】
なお、この場合、図３に示すように、束２４の側面２４ａから取出口ＯＰ１までの範囲の突出部２２の長さＬ１は、束２４の側面２４ｂから取出口ＯＰ１までの範囲の突出部２２の長さＬ２と実質的に等しく設定される。これによって、取出口ＯＰ１は、束２４の幅（側面２４ａから側面２４ｂまでの幅）の略中央に配置される。よって、ティッシュは、取出口ＯＰ１からスムーズに取り出されることができる。
【００４５】
最後に、図５を用いて、ティッシュボックスＢＸ１内でのティッシュの束２４の移動が抑制されることを説明する。図５に示すように、箱部１の軸線ＡＸ（図１参照）に沿う幅をＷ３とし、束２４の軸線ＡＸに沿う幅をＷ２とし、箱部１の内面と束２４の側面との間の空間の軸線ＡＸに沿う幅をＷ３とする。
【００４６】
図５から明らかなように、Ｗ２は、Ｗ３よりも小さい（Ｗ２＜Ｗ３）。よって、箱部１の内面と束２４の側面との間にはＷ１に応じた空間が形成される。つまり、箱部１の内部に収納されるティッシュの束２４は、Ｗ１（Ｗ１＝Ｗ３−Ｗ２）に応じた範囲で、軸線ＡＸに沿って移動することが可能に構成されてしまう。
【００４７】
本実施形態では、上述のように、箱部１の下面１１には支持部１８が設けられる。束２４は、支持部１８と箱部１の内面とにより保持されることで、箱部１の下面１１の所定の位置に配置される。このように保持された束２４は、取出口ＯＰ１に対してずれることが抑制される。よって、商品の購入者は、上述したように、よりスムーズにティッシュボックスからティッシュを取出すことができる。
【００４８】
本実施形態においては、箱部１に設けられる取出口ＯＰ１の周縁にフィルムが設けられていない。このような場合には、箱部１の取出口ＯＰ１に対するティッシュの束２４の位置ずれにより、取出されるティッシュと取出口ＯＰ１の周縁との間に強い摩擦力が生じる場合がある。しかしながら、本実施の形態によれば、このように取出口ＯＰ１の周縁にフィルムが設けられていないものであっても、箱部１内での束２４のずれ自体が抑制されるため、取出されるティッシュと取出口ＯＰ１の周縁との間の摩擦力が問題となることが抑制される。また、起立された蓋部を再び箱部に伏した状態とすれば、蓋部により箱部内に異物が入り込むことが抑制される。従って、本実施形態の場合には、長期使用に適したティッシュボックスを提供することができる。
【００４９】
また本実施形態においては、箱部１の上面１０又は下面１１に取出口を設けることが可能である。従って、商品の購入者の利き手がどちらの場合であっても対応することができる。また、上面１０に取出口を設けた場合には、下面１１に設けることができる取出口は、束２４の底上げに用いることができる。すなわち、上面１０に取出口を設けて使用した結果、束２４の厚みが減少すると、ティッシュがスムーズに取り出すことができない。かかる場合には、束２４を持ち上げるための支持部として、下面１１に設けられた取出口用の蓋部１９、２９を用いることができる。
【００５０】
また、本実施形態においては、支持部１８は、箱部１の基部２０の一部が、円弧状に構成された折曲線Ｌ６を軸として、箱部１の内側に起立されることにより構成される。折曲線Ｌ６が円弧状に構成される（図２（ｂ）参照のこと）ことにより、束２４から受ける力によって、起立された支持部１８が箱部１の基部２０に倒れこむことが好適に抑制される。
【００５１】
〔第２の実施の形態〕
図６及び図７を用いて、本発明の第２の実施の形態について説明する。図６は、ティッシュボックスＢＸ２の斜視図である。図７は、ティッシュボックスＢＸ２内でのティッシュの束２４の移動が抑制されることを説明するための説明図である。
【００５２】
図６に示すように、本実施形態では、ティッシュの束２４を箱部１の下面１１の所定の位置に配置するための手段として、支持部３０及び支持部３１を採用している。ここでは、説明の便宜上、図６に示すように、箱部１の４つの側面のある面を側面１２ａとし、箱部１の４つの側面の他の面を側面１２ｂとする。尚、側面１２ｂは、側面１２ａと隣り合う側面である。
【００５３】
図６に示すように、支持部３０は、側面１２ａと側面１２ｂとの縁に設けられる。支持部３０は、箱部１の側面１２ａの一部及び箱部１の側面１２ｂの一部が、箱部１の内部に折り曲げられることにより構成される。換言すると、支持部３０は、箱部１の側面１２ａと側面１２ｂとから規定される縁に部分的に凹みが設けられることにより形成される。
【００５４】
尚、支持部３０は、側面１２ａの一部に相当する部分３０ａと、側面１２ｂの一部に相当する部分３０ｂとを有する。部分３０ａと部分３０ｂから規定される縁は、箱部１の側面１２ａと側面１２ｂとから規定される縁に等しい。
【００５５】
図６に示すように、側面１２ａには折曲線Ｌ２１が設けられ、側面１２ｂには折曲線Ｌ２０が設けられる。折曲線Ｌ２０の一端と折曲線Ｌ２１の一端とは、切取線ＤＬ２０ａにより連絡されている。同様に、折曲線Ｌ２０の他端と折曲線Ｌ２１の他端とは、切取線ＤＬ２０ｂにより連絡されている。
【００５６】
支持部３０は、切断線ＤＬ２０ａ、ＤＬ２０ｂが切断された状態で、側面１２ａ、１２ｂの一部（部分３０ａ、部分３０ｂ）が、折曲線Ｌ２０、Ｌ２１を軸として、箱部１の内側に折り曲げられることにより構成される。このようにして、支持部３０は、側面１２ａ（箱部１の外面）を構成していた部分３０ａと、側面１２ｂ（箱部１の外面）を構成していた部分３０ｂとから構成される。
【００５７】
支持部３０は、箱部１の内部に収納されるティッシュの束２４の側面に当接するように、箱部１の内部に向けて突出する。かかる構成により、後述のように、箱部１の内部に収納されるティッシュの束２４は、箱部１の下面１１の所定の箇所に好適に保持される。
【００５８】
なお、支持部３１の構成は、支持部３０の構成と略等しい。異なる点は、箱部１の側面１２から規定される異なる縁に配置される点である。支持部３１の構成は、上述の支持部３０の説明に基づけば明確に理解できるため、ここでは説明は省略する。
【００５９】
図７を用いて、ティッシュボックスＢＸ２内でのティッシュの束２４の移動が抑制されることを説明する。なお、図７には、軸線ＡＸに沿う方向のティッシュボックスＢＸ２の断面図が示されている。
【００６０】
図７に示すように、本実施形態では、支持部３０、支持部３１が、箱部１の内側に向けて突出する。支持部３０の部分３０ａの内面（箱部１の内面と等しい）は、束２４の側面２４ａに当接するように構成される。支持部３１の部分３１ａの内面（箱部１の内面と等しい）は、束２４の側面２４ａに当接するように構成される。換言すると、支持部３０の面３０ａ及び支持部３１の面３１ａは、束２４の側面２４ａに対向するように配置される。
【００６１】
かかる構成により、箱部１の下面１１に載置される束２４は、支持部３０、３１と箱部１の側部２１の面２１ａとの間に好適に保持され、箱部１の下面１１の所定の位置に配置される。このように保持された束２４は、取出口ＯＰ１に対してずれることが抑制される。よって、商品の購入者は、よりスムーズにティッシュボックスからティッシュを取出すことができる。なお、取出口ＯＰ１は、上述の所定の位置に束２４が配置されるものとして設定されているものとする。
【００６２】
本実施形態では、第１の実施の形態の場合と比較して、束２４の厚み方向に沿う幅がより広い支持部により束２４を支持することができる。よって、第１の実施の形態の場合と比較して、ティッシュの束２４は、より安定に支持部と箱部の内面との間に保持される。また、箱部１の側面から規定される縁が凹むことにより、意匠的な効果も得ることができる。
【００６３】
〔第３の実施の形態〕
図８及び図９を用いて、本発明の第３の実施の形態について説明する。図８は、ティッシュボックスＢＸ３の斜視図である。図９は、ティッシュボックスＢＸ３内でのティッシュの束の移動が抑制されることを説明するための説明図である。
【００６４】
本実施の形態では、箱部１の内部に収納されたティッシュは、箱部１の上面１０から図８の矢印Ｄ１に従って取出されることに加えて、箱部１の側面１２ｂから図８の矢印Ｄ２に従って取出されることができるように構成されている。よって、例えば、商品の購入者は、ティッシュボックスＢＸ３を目元より高い場所に置いたとしても、その側面方向からティッシュを好適に取出すことができる。
【００６５】
本実施の形態では、第２の実施の形態と異なり、切断線ＤＬ１は、箱部１の上面１０ではなく箱部１の側面１２ｂに設けられる。折曲線Ｌ１は、箱部１の上面１０のみではなく箱部１の側面１２ｂにも延在する。折曲線Ｌ２についても、折曲線Ｌ１と同様に、箱部１の上面１０のみではなく箱部１の側面１２ｂにも延在する。また、切断線ＤＬ３も、箱部１の上面１０のみではなく箱部１の側面１２ｂにも延在する。
【００６６】
なお、蓋部１５も、同様に、箱部１の上面１０のみではなく箱部１の側面１２ｂにも設けられる。蓋部１６も、蓋部１５と同様に、箱部１の上面１０のみではなく箱部１の側面１２ｂにも設けられる。支持部３０、３１が形成される箇所は、第２の実施の形態と同様であるから説明は省略する。
【００６７】
図９を用いて、ティッシュボックスＢＸ３内でのティッシュの束２４の移動が抑制されることを説明する。なお、図９には、軸線ＡＸに沿う方向のティッシュボックスＢＸ３の断面図が示されている。
【００６８】
図９に示すように、本実施形態では、第２の実施の形態と同様に、支持部３０、支持部３１が、箱部１の内側に向けて突出する。支持部３０の面３０ａは、束２４の側面２４ａに当接するように構成される。支持部３１の面３１ａは、束２４の側面２４ａに当接するように構成される。換言すると、束２４の側面２４ａは、支持部３０の面３０ａ及び支持部３１の面３１ａに対向するように配置される。なお、第２の実施の形態と同様に、箱部１の内面は、束２４の側面２４ｂに当接するように構成される。
【００６９】
かかる構成により、箱部１の下面１１に載置される束２４は、支持部３０、３１と箱部１の内面との間に好適に保持され、箱部１の下面１１の所定の位置に配置される。このように保持された束２４は、取出口ＯＰ１に対してずれることが抑制される。よって、商品の購入者は、よりスムーズにティッシュボックスからティッシュを取出すことができる。
【００７０】
特に本実施の形態では、図９に示すように、図９の矢印Ｄ２に従って、ティッシュボックスＢＸ３に収納されたティッシュが取出される場合がある。本実施形態の場合にように支持部３０、３１を設けない場合には、ティッシュを取り出す際に、取り出されるティッシュに応じて束２４が取出口ＯＰ１方向に移動し、側面１２ｂに設けられた取出口ＯＰ１と束２４とが近接してしまう。そして、取出されるティッシュと側面１２ｂの取出口ＯＰ１との間に大きな摩擦が生じてしまう場合がある。このような場合、商品の購入者は、ティッシュボックスからスムーズにティッシュを取出すことができない。
【００７１】
本実施形態においては、上述の問題点に対して、支持部３０、３１が設けられている。支持部３０は、側面１２ａと側面１２ｂとの間の縁部分が箱部１の内部に折り曲げられることにより構成される。同様に、支持部３１は、側面１２ｂと側面１２ｂに隣り合う他の側面との間の縁部分が箱部１の内部に折り曲げられることにより構成される。換言すると、支持部３０、３１は、側面方向からのティッシュの取出を可能とする取出口ＯＰ１が設けられた側面１２ｂに設けられ、箱部１の内部に向けて突出するように構成される。
【００７２】
よって、図９に示すように、束２４の側面２４ａと当該側面２４ａに対向する箱部１の内壁との間には、幅Ｗ１分の空間が生じる。幅Ｗ１分の空間は、箱部１の側面１２ｂに設けられた取出口ＯＰ１を介して、ティッシュがスムーズに取出されるためには必要なものである。そして、取出されるティッシュは、幅Ｗ１分の空間及び箱部１の側面１２ｂに設けられた取出口ＯＰ１を介して、好適に箱部１から取出されることができる。
【００７３】
この点は、図４に示したように束２４の場合に特に有効である。なお、図４に示したようにティッシュが重ねられる場合には、一度、図８の矢印Ｄ１に従って、箱部１の上方向にあるティッシュを取出した後、次に引き出されるティッシュを図８の矢印Ｄ２に従って引き出すことにより、その次に引き出されるティッシュは、好適に箱部１の側面１２ｂにある取出口ＯＰ１に引き出されることができる。
【００７４】
また、上述のように、箱部１の上面１０の取出口は、上面１０の延在方向に対して斜めに設けられている。かかる構成により、箱部１の側面１２ｂから見て、ティッシュを引き出す際には、次に引き出されるティッシュは回転しながら部分的に引き出される。従って、次に引き出されるティッシュの取り出しを、よりスムーズに構成することができる。
【００７５】
〔第４の実施の形態〕
図１０を用いて、本発明の第４の実施の形態について説明する。図１０は、ティッシュボックスＢＸ４の斜視図である。
【００７６】
本実施の形態においては、第３の実施の形態と異なり、箱部１の上面１０に設けられる取出口と箱部１の側面１２ｂに設けられる取出口とは別々に構成されている。すなわち、箱部１の上面１０に設けられる取出口と箱部１の側面１２ｂに設けられる取出口との間は、箱部１の側面１２ｂと箱部１の上面１０との間の縁が存在する。かかる構成により、第３の実施の形態におけるティッシュボックスＢＸ３と比較して、ティッシュボックスＢＸ４の機械的な強度を増加させることができる。すなわち、箱部１の上面１０に設けられる取出口と箱部１の側面１２ｂに設けられる取出口とは、必ずしも一体の取出口として構成される必要はない。
【００７７】
〔第５の実施の形態〕
図１１を用いて、本発明の第５の実施の形態について説明する。図１１は、ティッシュボックスＢＸ５の斜視図である。
【００７８】
本実施の形態においては、第３の実施の形態と異なり、箱部１の側面１２ｂに、支持部３５及び支持部３６が設けられる。支持部３５及び支持部３６は、箱部１の側面１２ｂの実質的に中央の部分に配置される。
【００７９】
支持部３５は、切断線ＤＬ３５が切断された状態で、箱部１の側面１２ｂを構成していた部分が、折曲線Ｌ３５を軸として箱部１の内側に起立されることにより構成される。支持部３６は、切断線ＤＬ３６が切断された状態で、箱部１の側面１２ｂを構成していた部分が、折曲線Ｌ３６を軸として箱部１の内側に起立されることにより構成される。支持部３５が起立される軸となる折曲線Ｌ３５と支持部３６が起立される軸となる折曲線Ｌ３６とは隣り合って配置される。切断線ＤＬ３５と切断線ＤＬ３６とは、折曲線Ｌ３５と折曲線Ｌ３６を挟んで配置される。
【００８０】
ここでは、箱部１の内部に収納されるティッシュの束２４は、箱部１の側面に設けられた支持部３５、３６と箱部１の内面との間に保持される。支持部３５、３６は、束２４の側面に当接するように、箱部１の内部に突出する。束２４の側面には、支持部３５、３６の頂部（箱部が部分的に切り取られることで露出する面）が当接するように構成される。  このような場合であっても、第３の実施の形態と同様に効果を得ることができる。尚、図１１に示すように、折曲線Ｌ３５、Ｌ３６が、リッジ状（山の稜線を描くような状態）に構成されることにより、支持部３５、３６を好適に起立させることができる。
【００８１】
なお、本実施形態では、第３の実施の形態の場合と比較して、束２４から受ける力により、支持部３５、３６は、箱部１の側面１２ｂ側に倒れやすい。しかしながら、この様な点は、例えば、隣り合って配置された支持部３５と支持部３６とを互いに係止させれば解消することができる。支持部３５と支持部３６とを互いに係止させる手段は様々な手法があるが、例えば、支持部３５の頂部と支持部３６の頂部とをシール性の部材で糊付けすれば良い。具体的な構造については図示することはしないが、たとえば、支持部３５と支持部３６とが起立されるときと同時に、支持部３５又は支持部３６の一方又は双方の箱部１の内側の面にシール性の材料が露出するような構成を採用すれば良い。そして、箱部１の内面に相当する支持部３５の面と、箱部１の内面に相当する支持部３６の面とを張り合わせればよい。
【００８２】
また、例えば、支持部３５に切断線を設け、支持部３５に設けられた切断線が切断されることで生じる隙間（開口）に挟み込まれる突出部を支持部３５に設けてもよい。支持部３５の切断線を切断させることで生じた隙間に、支持部３６の突出部を差し込むことで、支持部３５に対して支持部３６を係止させることができる。箱部の内部で支持部同士を互いに係止させる方法は、他にも様々な手法が考えうる。
【００８３】
〔第６の実施の形態〕
図１２を用いて、本発明の第６の実施の形態について説明する。図１２は、ティッシュボックスＢＸ６の斜視図である。
【００８４】
第１の実施の形態と異なる点は、箱部１の側面１２ｂが箱部１の内部に突出されることにより支持部７０が構成される点である。換言すると、支持部７０は、箱部１の側面１２ｂが箱部１の内部に凹まされることにより構成される。なお、箱部１の側面１２ｂの全面を箱部１の内部に突出させる方法としては、箱部１の側面１２ｂの周縁に相当する縁付近の箱部１の上面１０、下面１１、側面１２ａ、側面１２ｂに隣り合う他の側面に切込線を設けると良い。これらの面に設けられた切込線に基づいて、箱部１の側面１２ｂは箱部１の内側に好適に凹まされることができる。
【００８５】
なお、支持部７０は、箱部１の内部に延在する部分７０ａ、部分７０ａが延在する方向と実質的に垂直な方向に延在する部分７０ｂを有する。部分７０ａ、部分７０ｂは、いずれも箱部１の側面１２ｂを構成していた部分である。部分７０ｂは、束２４の側面２４ａと当接するように構成される。部分７０ｂは、束２４の側面２４ａに対向する面を有する。よって、他の実施の形態と比較して、より好適に束２４を保持することができる。また、箱部１の側面１２ｂが、箱部１の内側に凹むことにより、特異な形状とすることができるため、意匠的な効果もある。
【００８６】
〔その他の実施の形態〕
図１３、図１４を用いて、本発明のその他の実施の形態について説明する。図１３は、ティッシュボックスＢＸ１の上面１０のバリエーションを説明するための図である。図１４も、図１３と同様に、ティッシュボックスＢＸ１の上面１０のバリエーションを説明するための図である。
【００８７】
図１３（ａ）に示すように、起立されたときの支持部１７ａの形状を矩形状としても良い。このような場合であっても、第１の実施の形態と同様の効果を得ることができる。すなわち、起立されたときの支持部の形状は、円形が部分的に欠けたような形状には限られない。支持部１７ａの具体的な大きさにもよるが、起立したときの支持部の形状を矩形状とすることにより、第１の実施の形態よりも、より広い範囲で、束２４の側面２４ａに、支持部１７ａを当接させることができる。
【００８８】
なお、支持部１７ａは、折曲線Ｌ５から延びる側辺５１、折曲線Ｌ５から延びる側辺５２、側辺５１と側辺５２とを結ぶ頂辺５３とを有する。側辺５１と側辺５２とは、実質的に等しい長さである。なお、側辺５１、５２、頂辺５３は、切取線ＤＬ７と一致する。
【００８９】
図１３（ｂ）に示すように、起立されたときの支持部１７ｂの形状を、矩形状が部分的にカットされた形状としてもよい。具体的には、支持部１７ｂは、折曲線Ｌ５から延びる側辺５１、折曲線Ｌ５から延びる側辺５２、側辺５１と側辺５２とを結ぶ頂辺５３とを有する。側辺５１は、側辺５２よりも長い辺である。よって、頂辺５３は、側辺５１から側辺５２に向けて下斜めに延在するように構成される。なお、側辺５１、５２、頂辺５３は、切取線ＤＬ７と一致する。
【００９０】
また、図１４（ａ）に示すように、箱部１の上面１０に、２つの（複数の）支持部１７ｃ、１７ｄを隣り合うように設けてもよい。これにより、箱部１の内部に収納される束２４を、より確実に箱部１の所定の位置に配置することができる。
【００９１】
また、図１４（ｂ）に示すように、箱部１の上面１０に、２つの支持部１７ｅ、１７ｆを隣り合うように設けてもよい。ただし、図１４（ａ）とは、支持部１７ｅ、１７ｆが起立される方向が異なる。このような場合であっても支持部１７を構成する材料や支持部１７の厚みなどを適宜調整することにより、束２４を支持することができる。支持部は箱部１の所定部分が折り曲げられることにより構成されることが最も簡易であるが、それ以外の方法も採用しうる。例えば、支持部１７として、プラスチック材料等からなる箱部１とは別の部材を採用しても良い。かかる場合には、当該部材の一部を、起立された状態で固定することにより、確実に束２４を箱部１の内部の所定の位置に保持することができる。
【００９２】
さらに、図１４（ｃ）に示すように、図１４（ａ）の構成に、箱部１の上面１０に設けられる取出口ＯＰ１を挟むような態様で、支持部１７ｇ、１７ｈを設けても良い。
【００９３】
かかる場合には、箱部１の内面と支持部とにより、束２４が箱部１内の所定の場所に保持されることはなく、支持部同士の間で、束２４は箱部１内の所定の場所に保持される。具体的には、支持部１７ｃ、１７ｄは、束２４の側面２４ａに当接するように構成される。支持部１７ｇ、１７ｈは、束２４の側面２４ｂに当接するように構成される。換言すると、束２４の側面２４ａと支持部１７ｃ、１７ｄとは対向して配置される。束２４の側面２４ｂと支持部１７ｇ、１７ｈとは対向して配置される。
【００９４】
このように、支持部と同士の間で、束２４を保持してもよい。但し、箱部１の内面と束２４の外面との間の隙間がさほど広くないこと（１ｃｍ〜２ｃｍ）が一般的であることを考慮すると、支持部と箱部の内面との間で、束２４を保持したほうが効果的である。
【００９５】
〔第７の実施の形態〕
改めて、図１５及び図１６を用いて、本発明の第７の実施の形態について説明する。図１５に、本実施の形態にかかるティッシュボックスＢＸ７の概略的な斜視図を示す。図１６に、本実施の形態にかかるティッシュボックスＢＸ７の構成を説明するための説明図を示す。
【００９６】
図１５に示すように、本実施形態にかかるティッシュボックスＢＸ７においては、ティッシュボックスＢＸ７の側面方向からティッシュが取り出される。換言すると、ティッシュボックスＢＸ７の側面に設けられた取出口からティッシュが取り出される。
【００９７】
ティッシュボックスからティッシュを取り出す場合、ティッシュボックスの上面（図１の上面１０）からティッシュを取り出すことが一般的である。しかしながら、ティッシュボックスの配置態様によっては、ティッシュボックスの上面からティッシュを取り出すことが容易ではない場合がある。ティッシュボックスの側面からもティッシュを取り出すことができるようにしておけば、よりユーザーフレンドリーなティッシュボックスを提供することができる。
【００９８】
また、本実施形態におけるティッシュボックスＢＸ７においても、図４で説明したような構成のティッシュの束が収納される。換言すると、ティッシュボックスＢＸ７は、ポップアップ式でティッシュが積まれた束を収納する。従って、ティッシュボックスＢＸ７の側面方向から、ティッシュを順次取り出すことができる。なお、本実施形態の場合でも、図４は、側面１２ｂ側から束２４を見た図でもある。
【００９９】
以下、より具体的に、ティッシュボックスＢＸ７の構成について説明する。
【０１００】
図１５に示すように、箱部１に取出口ＯＰ７が設けられる。取出口ＯＰ７は、箱部１の側面１２ｂから上面１０に亘って形成される。取出口ＯＰ７は、箱部１が部分的に切り取られることで構成される蓋部８０に対応して形成される。
【０１０１】
蓋部８０は、箱部１の側面１２ｂを構成していた部分８０ａ、箱部１の上面１０を構成していた部分８０ｂとから構成される。蓋部８０は、箱部１の上面１０の折曲線Ｌ７を軸として開閉可能に構成される。蓋部８０が設けられることにより、箱部１の内部に収納される束２４が外部の汚染源によって汚染されることが抑制される。
【０１０２】
なお、上述のように、箱部１は、ポップアップ式で積層されたティッシュの束２４を収納する。図１５のティッシュＰｅｐが箱部１から取り出されると、次に取り出されるティッシュＰｅｐが、図１５に示すように、箱部１の外部に部分的に露出する。従って、箱部１の側面方向からティッシュを取り出す場合であっても、順次ティッシュをスムーズに取り出すことができる。
【０１０３】
図１６を用いて、ティッシュボックスＢＸ７の構成について説明する。図１６（ａ）は、ティッシュボックスＢＸ７の上面１０の構成図である。図１６（ｂ）は、ティッシュボックスＢＸ７の側面１２ｂの構成図である。図１６（ｃ）は、ティッシュボックスＢＸ７の下面１１の構成図である。
【０１０４】
図１６（ａ）に示すように、箱部１の上面１０には、折曲線Ｌ７及び切断線ＤＬ９が設けられる。図１６（ｂ）に示すように、箱部１の側面１２ｂには、切断線ＤＬ９が設けられる。切断線ＤＬ９の一端は、折曲線Ｌ７の一端に設けられる。切断線ＤＬ９の他端は、折曲線Ｌ７の他端に設けられる。切断線ＤＬ９は、折曲線Ｌ７の一端から、側面１２ｂに向かって、箱部１の上面１０を延在する。箱部１の側面１２ｂでは、切断線ＤＬ９は、Ｕ字状に延在する。そして、再び、切断線ＤＬ９は、箱部１の上面１０で、折曲線Ｌ７の他端まで延在する。形成されるべき取出口ＯＰ７の形状に応じて、切断線ＤＬ９は設定される。なお、切断線ＤＬ９が切断されることによって、上述の蓋部８０は構成される。ここでは、取出口ＯＰ７の開口形状は、切断線ＤＬ９及び折曲線Ｌ７によって規定される。側面１２ｂにおけるＵ字状の切断線ＤＬ９の頂点部分に凹状の切断線を設けてもよい。この場合、ユーザーは、箱部１の切断線ＤＬ９に沿って、より簡易に箱部１を切断することができる。
【０１０５】
また、上述の実施形態と同様に、本実施形態においても、図１６（ａ）に示すように、切断線ＤＬ１０と折曲線Ｌ８が形成される。切断線ＤＬ１０が切断された状態で、箱部１の上面１０の部分が、折曲線Ｌ８を軸として、箱部１の内側に折り曲げられ、束２４の側面と当接する支持部５４が構成される。また、図１６（ｃ）に示すように、切断線ＤＬ１１と折曲線Ｌ９が形成される。切断線ＤＬ１１が切断された状態で、箱部１の上面１０の部分が、折曲線Ｌ９を軸として、箱部１の内側に折り曲げられ、束２４の側面と当接する支持部５５が構成される。なお、支持部５４又は支持部５５の一方のみであっても構わない。支持部５４及び支持部５５は、後述の中央線ＣＬ１を境界として、蓋部８０が設けられていない側に設けられる。なお、支持部を設ける箇所、支持部の個数は任意である。
【０１０６】
また、図１６（ｂ）に示すように、切断線ＤＬ９が切断されることで形成される蓋部８０の部分８０ａは、側面１２ｂの中央線ＣＬ１からずれた位置に配置される。換言すると、蓋部８０の部分８０ａの中央線ＣＬ２は、側面１２ｂの中央線ＣＬ１とは一致しない。蓋部８０の部分８０ａの中央線ＣＬ２と側面１２ｂの中央線ＣＬ１とが一致する場合には、図４の束２４からティッシュを取り出すときの摩擦抵抗が大きくなるおそれがある。蓋部８０の部分８０ａの中央線ＣＬ２と側面１２ｂの中央線ＣＬ１とが一致しないようにすることによって、ティッシュを取り出すときの摩擦抵抗を最小限に留めることができる。これは、特に上述のポップアップ式でティッシュが積層された場合に有効である。但し、摩擦が大きくなっても構わない場合には、中央線ＣＬ１と中央線ＣＬ２とが一致しても構わない。なお、図１６から明らかなように、取出口ＯＰ７の周りには、フィルムは配置されていない。また、中央線ＣＬ１は、側面１２ｂを正面視した場合の横幅ｗ５の中心に位置する。中央線ＣＬ２は、蓋部８０の部分８０ａを正面視した場合の横幅ｗ６の中心に位置する。
【０１０７】
なお、本実施形態における取出口ＯＰ７を、上述の実施の形態に示した取出口に付加的に設けてもよい。
【０１０８】
〔第８の実施の形態〕
図１７及び図１８を用いて、本発明の第８の実施の形態について説明する。図１７に、本実施の形態にかかるティッシュボックスＢＸ８の概略的な斜視図を示す。図１８に、本実施の形態にかかるティッシュボックスＢＸ８の構成を説明するための説明図を示す。
【０１０９】
本実施形態では、蓋部８１は、箱部１の側面１２ｂが部分的に切断されることで構成される。また、蓋部８１に対応して形成される取出口ＯＰ８は、箱部１の側面１２ｂに形成される。このような構成によっても、第７の実施の形態において説明したものと同様の効果を得ることができる。但し、取出口ＯＰ８を形成した後に、はじめてティッシュを取り出す場合のティッシュの取り出しやすさは、第７の実施の形態のほうが優れている。
【０１１０】
〔その他の実施の形態〕
図１９及び図２０を用いて、本発明の他の実施の形態について説明する。図１９は、第７の実施の形態にかかるティッシュボックスＢＸ７のバリエーションを説明するための斜視図である。図２０は、第８の実施の形態にかかるティッシュボックスＢＸ８のバリエーションを説明するための斜視図である。
【０１１１】
図１９においては、蓋部８０が完全に箱部１から取り離されている。このような場合においても、第７の実施の形態と同様の効果を得ることができる。図２０においては、蓋部８１が完全に箱部１から取り離されている。このような場合においても、第８の実施の形態と同様の効果を得ることができる。
【０１１２】
〔第９の実施の形態〕
改めて、図２１を用いて、本発明の第９の実施の形態について説明する。図２１に、第９の実施の形態にかかるティッシュボックスＢＸ９の構成を説明するための説明図である。第９の実施の形態においても、上述の第７の実施の形態と同様に、ティッシュボックスＢＸ９の側面方向からティッシュが取り出される。換言すると、ティッシュボックスＢＸ９の側面に設けられた取出口からティッシュが取り出される。但し、第９の実施の形態においては、第７の実施の形態とは異なる部分に取出口が設けられる。従って、この異なる点についてのみ説明する。
【０１１３】
図２１（ｂ）に示すように、本実施形態においては、側面１２ｂを正面視したとき、取出口の中央線ＣＬ２は、側面１２ｂにおける中央線ＣＬ１と実質的に一致する。換言すると、側面１２ｂを正面視したとき、切断線ＤＬ９は、次のように延在する。切断線ＤＬ９は、まず、中央線ＣＬ１の左側を下方に延在する。次に、切断線ＤＬ９は、中央線ＣＬ１を跨ぐ。そして、切断線ＤＬ９は、中央線ＣＬ１の右側を上方に延在する。このような構成によって、消費者はスムーズに切断線ＤＬ９に沿って、箱部１を部分的に切断させ、取出口を作成することができる。また、ティッシュボックスＢＸ９の生産者も簡易に切断線ＤＬ９を製作することができる。なぜなら、切断線ＤＬ９は、一枚のシートから箱部１が組み立てられる際に、シート同士が重ね合わされる領域には設けられていないからである。
【０１１４】
この点について図２１（ｂ）を用いて説明する。図２１（ｂ）に模式的に示すように、側面１２ｂは、領域Ｒ１乃至領域Ｒ４を有する。領域Ｒ１は、上述のシートが２層重ねあわされている部分（重ね合わせ領域）である。領域Ｒ２は、領域Ｒ１と同様である。領域Ｒ３は、上述のシートが１層の部分（非重ね合わせ領域）である。領域Ｒ４は、領域Ｒ３と同様である。ここでは、切断線ＤＬ９は、領域Ｒ３に設けられている。切断線ＤＬ９は、領域Ｒ１及び領域Ｒ２には設けられていない。
【０１１５】
切断線ＤＬ９は、図面の構成から明らかなように、複数の切り込みが一定の間隔をあけて箱部１に線状に配置されて構成される。切断線ＤＬ９が重ね合わせ領域に配置される場合、２層分の切り込みを箱部１の側面に形成する必要がある。２層分の切り込みを箱部１に形成することは、既存の生産技術を活用することができないおそれもあり、ティッシュボックスの生産性を損なうおそれがある。また、消費者は、より強い力で、切断線ＤＬ９に沿って箱部１を部分的に切断する必要がある。本実施形態においては、上述のように、切断線ＤＬ９は、非重ね合わせ領域に設けられている。従って、生産者及び消費者の双方にとってメリットがある。
【０１１６】
なお、領域Ｒ１は、図２１（ａ）に示した箱部１の側面１２ｃが延出した部分と、図２１（ａ）に示した箱部１の上面１０が延出した部分とが重ね合わされた部分を含む。また、領域Ｒ１は、図２１（ａ）に示した箱部１の側面１２ｃが延出した部分と、図２１（ｃ）に示した箱部１の下面１１が延出した部分とが重ね合わされた部分を含む。
【０１１７】
領域Ｒ２は、図２１（ａ）に示した箱部１の側面１２ａが延出した部分と、図２１（ａ）に示した箱部１の上面１０が延出した部分とが重ね合わされた部分を含む。また、領域Ｒ１は、図２１（ａ）に示した箱部１の側面１２ａが延出した部分と、図２１（ｃ）に示した箱部１の下面１１が延出した部分とが重ね合わされた部分を含む。領域Ｒ３は、箱部１の上面１０が延出した部分を含む。領域Ｒ３は、図２１（ａ）に示した箱部１の側面１２ａが延出した部分と、図２１（ａ）に示した箱部１の側面１２ｃが延出した部分とを含まない。領域Ｒ４は、箱部１の下面１１が延出した部分を含む。領域Ｒ４は、図２１（ａ）に示した箱部１の側面１２ａが延出した部分と、図２１（ａ）に示した箱部１の側面１２ｃが延出した部分とを含まない。
【０１１８】
〔第１０の実施の形態〕
図２２を用いて、本発明の第１０の実施の形態について説明する。図２２は、第１０の実施の形態にかかるティッシュボックスＢＸ１０の構成を説明するための説明図である。第１０の実施の形態は、上述した第２の実施の形態と略等しい。但し、第１０の実施の形態においては、第２の実施形態とは異なる部分に取出口が設けられる。従って、この異なる点についてのみ説明する。
【０１１９】
本実施形態においては、支持部３０、３１によって束２４が支持された状態のとき、図２２に示すように、取出口の一端は束２４と重ならない領域に配置される。従って、側面１２ｂ側からティッシュを引き出そうとするとき、よりスムーズにティッシュを取出口から取り出すことができる。上述のように、そもそも取出口の具体的な形状等は任意である。しかしながら、本実施の形態のように、適宜取出口の形状を変化させることで、特定の方向からティッシュをよりスムーズに取り出すことができるように設定できる。
【０１２０】
〔第１１の実施の形態〕
図２３乃至図２５を用いて、本発明の第１１の実施の形態について説明する。図２３は、ティッシュボックスＢＸ１１の概略的な斜視図である。図２４は、ティッシュボックスＢＸ１１の各面を正面視した場合の構成の説明図である。図２４（ａ）は、ティッシュボックスＢＸ１１の概略的な上面図である。図２４（ｂ）は、ティッシュボックスＢＸ１１の概略的な側面図である。図２４（ｃ）は、ティッシュボックスＢＸ１１の概略的な他の側面図である。図２４（ｄ）は、ティッシュボックスＢＸ１１の概略的な下面図である。図２５は、ティッシュボックスＢＸ１１の変形例に係る斜視図である。
【０１２１】
図２３に示すように、本実施形態においては、箱部１に蓋部８２が開閉可能に設けられる。蓋部８２が閉じられた状態のとき、ティッシュは箱部１の内部に収納される。蓋部８２が開かれた状態のとき、ティッシュは箱部１の内部から取り出し可能となる。このような特徴点な蓋部８２を設けることにより意匠的な効果が優れたティッシュボックスを実現することができる。また、蓋部８２によって、ティッシュの取り出し方向が拡大される。すなわち、箱部１の側面１２ｂ側からであれば、任意の方向にティッシュを連続してスムーズに引き出すことができる。従って、箱部１の側面１２ｂを上面としてティッシュボックスＢＸ１１を配置した場合には、消費者は極めてスムーズにティッシュを取り出すことができる。
【０１２２】
図２４を用いて、ティッシュボックスＢＸ１１の構成について説明する。図２４（ａ）に示すように、箱部１の上面１０には切断線ＤＬ１２が設けられる。図２４（ｂ）に示すように、箱部１の側面１２ｂには切断線ＤＬ１３が設けられる。図２４（ｃ）に示すように、箱部１の下面１１には切断線ＤＬ１４が設けられる。図２４（ｄ）に示すように、箱部１の側面１２ａには折曲線Ｌ１０が設けられる。
【０１２３】
図２４（ａ）の切断線ＤＬ１２は、点Ｐ１から点Ｐ２まで延在する。図２４（ｂ）の切断線ＤＬ１３は、点Ｐ２から点Ｐ３まで延在する。図２４（ｃ）の切断線ＤＬ１４は、点Ｐ３から点Ｐ４まで延在する。図２４（ｄ）の折曲線Ｌ１０は、点Ｐ４から点Ｐ１まで延在する。切断線ＤＬ１２乃至ＤＬ１４が切断されることによって、蓋部８２が構成される。なお、点Ｐ１は、上面１０の長辺上の点である。点Ｐ２は、上面１０の短辺上の点である。点Ｐ３は、下面１１の短辺上の点である。点Ｐ４は、下面１１の長辺上の点である。
【０１２４】
また、蓋部８２は、箱部１の上面１０の一部、箱部１の下面１１の一部、箱部１の側面１２ａの一部、箱部１の側面１２ｂの一部を含んで構成される。換言すると、蓋部８２は、箱部１の４つの面を含んで構成される。
【０１２５】
本実施形態においては、上述の実施の形態と同様に、箱部１の下面１１には支持部５５が設けられる。従って、ティッシュの取り出しに際して、束２４が移動することが抑制される。支持部に関する説明は、上述の実施の形態の説明がそのまま当てはまる。従って、重複する説明は省略する。
【０１２６】
最後に、図２５に、ティッシュボックスＢＸ１１の変形例に係る斜視図を示す。図２５の場合には、折曲線Ｌ１０は、箱部１の側面１２ｂに設けられる。このように蓋部８２を構成してもよい。
【０１２７】
〔その他の実施の形態〕
図２６乃至図２９を用いて、特に、箱部１に設けられる蓋部の変形例について説明する。上述の実施の形態において説明したように、箱部が切断線に沿って部分的に切断されたとき蓋部は構成される。そして、蓋部は、折曲線を軸として箱部に対して開閉可能に構成される。蓋部の構成、すなわち切断線及び折曲線をどのように設けるかは、適宜変更可能なものである。この点をより明確にするため、図２６乃至図２８を用いて説明する。なお、図２６乃至図２８の箱部１の上面１０又は下面１１に、上述の実施の形態において説明した支持部（不図示）が設けられているものとする。
【０１２８】
図２６（ａ）の場合には、折曲線は、点Ｎ１と点Ｎ２の間に設けられてもよい。また、折曲線は、点Ｎ２と点Ｎ３の間に設けられてもよい。折曲線は、点Ｎ３と点Ｎ４の間に設けられてもよい。折曲線は、点Ｎ４と点Ｎ５の間に設けられてもよい。折曲線は、点Ｎ５と点Ｎ６の間に設けられてもよい。折曲線は、点Ｎ１と点Ｎ６の間に設けられてもよい。
【０１２９】
図２６（ｂ）の場合も、図２６（ａ）の場合と同様である。図２６（ｃ）の場合には、折曲線は、点Ｎ１と点Ｎ２との間に設けられることはない。折曲線は、点Ｎ１と点Ｎ６との間に設けられることはない。その他は、図２６（ａ）の場合と同様である。
【０１３０】
図２７（ａ）の場合には、折曲線は、点Ｎ１と点Ｎ２の間に設けられてもよい。また、折曲線は、点Ｎ２と点Ｎ３の間に設けられてもよい。折曲線は、点Ｎ３と点Ｎ１の間に設けられてもよい。図２７（ｂ）に示すように、点Ｎ１と点Ｎ２とが外側に膨らむ円弧状のラインにより接続される場合、折曲線は、点Ｎ１と点Ｎ２との間に設けられる。蓋部８３をスムーズに開閉可能なものとするためである。
【０１３１】
図２８（ａ）の場合には、折曲線は、点Ｎ１と点Ｎ２の間に設けられてもよい。また、折曲線は、点Ｎ２と点Ｎ３の間に設けられてもよい。折曲線は、点Ｎ３と点Ｎ４の間に設けられてもよい。折曲線は、点Ｎ４と点Ｎ１の間に設けられてもよい。
【０１３２】
図２８（ｂ）の場合は、図２８（ａ）の場合と同様である。図２８（ｃ）の場合は、折曲線は、点Ｎ１と点Ｎ２の間に設けられてもよい。また、折曲線は、点Ｎ２と点Ｎ３の間に設けられてもよい。折曲線は、点Ｎ３と点Ｎ４の間に設けられてもよい。折曲線は、点Ｎ４と点Ｎ５の間に設けられてもよい。折曲線は、点Ｎ５と点Ｎ６の間に設けられてもよい。折曲線は、点Ｎ６と点Ｎ７の間に設けられてもよい。折曲線は、点Ｎ７と点Ｎ８の間に設けられてもよい。折曲線は、点Ｎ８と点Ｎ１の間に設けられてもよい。
【０１３３】
なお、図２８（ａ）乃至（ｃ）に示された蓋部８３は、ティッシュボックスの業界においては、非常に意匠的に斬新である。上述のように、束２４は支持部によって支持されるため、このような自由な蓋部を構成することもできる。すなわち、支持部は、箱部１に設けられる蓋部の構成の自由度をも極端に向上させることができる。なお、いうまでもなく、図２８（ａ）乃至（ｃ）に示された蓋部８３は、それ自体、ティッシュのスムーズな取り出しを実現することにも寄与する。
【０１３４】
図２９（ａ）の場合には、折曲線は、点Ｎ１と点Ｎ２の間に設けられてもよい。また、折曲線は、点Ｎ２と点Ｎ３の間に設けられてもよい。折曲線は、点Ｎ３と点Ｎ４の間に設けられてもよい。折曲線は、点Ｎ４と点Ｎ１の間に設けられてもよい。
【０１３５】
図２９（ｂ）の場合には、折曲線は、点Ｎ１と点Ｎ２の間に設けられてもよい。また、折曲線は、点Ｎ２と点Ｎ３の間に設けられてもよい。折曲線は、点Ｎ３と点Ｎ４の間に設けられてもよい。折曲線は、点Ｎ４と点Ｎ５の間に設けられてもよい。折曲線は、点Ｎ５と点Ｎ６の間に設けられてもよい。折曲線は、点Ｎ６と点Ｎ１の間に設けられてもよい。図２９（ｃ）の場合には、折曲線は、点Ｎ１と点Ｎ２の間に設けられてもよい。また、折曲線は、点Ｎ２と点Ｎ３の間に設けられてもよい。折曲線は、点Ｎ３と点Ｎ４の間に設けられてもよい。折曲線は、点Ｎ４と点Ｎ１の間に設けられてもよい。
【０１３６】
なお、図２９（ａ）乃至（ｃ）に示された蓋部８３も、ティッシュボックスの業界においては、非常に意匠的に斬新である。上述のように、束２４は支持部によって支持されるため、このような自由な蓋部を構成することもできる。すなわち、支持部は、箱部１に設けられる蓋部の構成の自由度をも極端に向上させることができる。なお、いうまでもなく、図２９（ａ）乃至（ｃ）に示された蓋部８３は、それ自体、ティッシュのスムーズな取り出しを実現することにも寄与する。
【０１３７】
〔第１１の実施の形態〕
改めて、図３０を用いて、本発明の第１１の実施の形態について説明する。図３０に、第１１の実施の形態にかかるティッシュボックスＢＸ１１の構成を説明するための説明図である。第１１の実施の形態においても、上述の第９の実施の形態と同様に、ティッシュボックスＢＸ１１の側面方向からティッシュが取り出される。換言すると、ティッシュボックスＢＸ１１の側面に設けられた取出口からティッシュが取り出される。但し、第１１の実施の形態においては、第９の実施の形態とは、箱部１の折りたたみ構造が異なる。従って、この異なる点についてのみ説明する。
【０１３８】
本実施形態においても、第９の実施の形態と同様、一枚のシートから箱部１が組み立てられる。但し、本実施形態においては、シート同士が３層重ね合わされる領域が設けられる。具体的には、図３０（ｂ）に示すように、領域Ｒ５及び領域Ｒ６には、シートが３層重ね合わされる。領域Ｒ５は、側面１２ｃが延出した部分、上面１０が延出した部分、下面１１が延出した部分、を含む。領域Ｒ６は、側面１２ａが延出した部分、上面１０が延出した部分、下面１１が延出した部分、を含む。このような場合、切取線ＤＬ９を領域Ｒ５又は領域Ｒ６を跨いで延在させることは好ましくない。なぜなら、消費者にとっては、取出口を簡易に箱部１に形成することができないことにつながり、生産者にとっては、簡易に切取線を箱部１に形成することができないからである。
【０１３９】
従って、本実施形態においては、切断線ＤＬ９は、領域Ｒ５及び領域Ｒ６以外の領域に設けられている。換言すると、切断線ＤＬ９は、領域Ｒ３、領域Ｒ４、領域Ｒ７に設けられている。なお、領域Ｒ３は、上面１０が延出した部分のみを含む。領域Ｒ４は、下面１１が延出のみを含む。領域Ｒ７は、上面１０が延出した部分、下面１１が延出した部分を含む。このように切断線ＤＬ９を設けることにより、上述の不都合を招くことはなく、消費者及び生産者の双方にとってメリットがある。
【０１４０】
なお、上述の説明から明らかではあるが、本実施形態においては、箱部１の側面１２ｂは、次のようにシートが折りたたまれることで構成される。まず、側面１２ａが延出する部分と側面１２ｃが延出する部分とが内側に折りたたまれる。次に、下面１１が延出する部分が内側に折りたたまれる。次に、上面１０が延出する部分が内側に折りたたまれる。このように構成することによって、領域Ｒ５は、箱部１の内側から、側面１２ａが延出する部分、下面１１が延出する部分、上面１０が延出する部分、がこの順番で積層される。領域Ｒ６は、箱部１の内側から、側面１２ｃが延出する部分、下面１１が延出する部分、上面１０が延出する部分、がこの順番で積層される。  なお、上面１０を下面１１よりも先に内側に折りたたんでもよいことは言うまでもない。また、シートが重なり合う部分は、接着剤などにより接着される。
【０１４１】
〔その他の実施の形態〕
図３１を用いて、さらに、箱部１に設けられる蓋部の変形例について説明する。図３１（ａ）〜（ｃ）の場合には、折曲線は、点Ｎ１と点Ｎ２の間に設けられてもよい。また、折曲線は、点Ｎ２と点Ｎ３の間に設けられてもよい。折曲線は、点Ｎ３と点Ｎ４の間に設けられてもよい。折曲線は、点Ｎ４と点Ｎ１の間に設けられてもよい。また、図３１（ａ）〜（ｃ）に示すように、折曲線を外側に膨らむ円弧状としてもよい。
【０１４２】
本発明の実施の形態は、上述したものに限定されない。箱部の形状は任意であり、必ずしも直方体に限られない。束の形状は任意であり、直方体に限られない。束は、トイレットペーパーのような円柱状のものであっても構わない。衛生紙が積層される態様は任意である。支持部は、箱部と別部材で構成されていともよく、箱部と同一の部材（材料）から構成される必要はない。支持部の具体的な形状は任意である。フィルムレスな取出口のときに、本発明は特に有効であるが、箱部に設けられる取出口には、フィルムが貼られていても構わない。支持部は、箱部の側面に設けてもよい。上面と下面とのそれぞれに取出口を設けて、上面と下面とのどちらの方向からもティッシュを取り出すことができるように構成してもよい。
【図面の簡単な説明】
【０１４３】
【図１】第１の実施の形態にかかるティッシュボックスＢＸ１の概略的な斜視図である。
【図２】（ａ）は、ティッシュボックスＢＸ１の概略的な上面図であり、（ｂ）は、ティッシュボックスＢＸ１の概略的な下面図である。
【図３】図１のＸ−Ｘ間の概略的な断面図である。
【図４】ティッシュが重ねられることで構成されるティッシュの束２４の構成を説明するための説明図である。
【図５】ティッシュボックスＢＸ１内でのティッシュの束の移動が抑制されることを説明するための説明図である。
【図６】第２の実施の形態にかかるティッシュボックスＢＸ２の概略的な斜視図である。
【図７】ティッシュボックスＢＸ２内でのティッシュの束の移動が抑制されることを説明するための説明図である。
【図８】第３の実施の形態にかかるティッシュボックスＢＸ３の斜視図である。
【図９】ティッシュボックスＢＸ３内でのティッシュの束の移動が抑制されることを説明するための説明図である。
【図１０】第４の実施の形態にかかるティッシュボックスＢＸ４の概略的な斜視図である。
【図１１】第５の実施の形態にかかるティッシュボックスＢＸ５の概略的な斜視図である。
【図１２】第５の実施の形態にかかるティッシュボックスＢＸ５の概略的な斜視図である。
【図１３】ティッシュボックスＢＸ１の上面１０のバリエーションを説明するための概略図である。
【図１４】ティッシュボックスＢＸ１の上面１０のバリエーションを説明するための概略図である。
【図１５】第７の実施の形態にかかるティッシュボックスＢＸ７の概略的な斜視図である。
【図１６】第７の実施の形態にかかるティッシュボックスＢＸ７の構成を説明するための説明図である。
【図１７】第８の実施の形態にかかるティッシュボックスＢＸ８の概略的な斜視図である。
【図１８】第８の実施の形態にかかるティッシュボックスＢＸ８の構成を説明するための説明図である。
【図１９】第７の実施の形態にかかるティッシュボックスＢＸ７のバリエーションを説明するための斜視図である。
【図２０】第８の実施の形態にかかるティッシュボックスＢＸ８のバリエーションを説明するための斜視図である。
【図２１】第９の実施の形態にかかるティッシュボックスＢＸ９の構成を説明するための説明図である。
【図２２】第１０の実施の形態にかかるティッシュボックスＢＸ１０の構成を説明するための説明図である。
【図２３】ティッシュボックスＢＸ１１の概略的な斜視図である。
【図２４】（ａ）は、ティッシュボックスＢＸ１１の概略的な上面図である。（ｂ）は、ティッシュボックスＢＸ１１の概略的な側面図である。（ｃ）は、ティッシュボックスＢＸ１１の概略的な他の側面図である。（ｄ）は、ティッシュボックスＢＸ１１の概略的な下面図である。
【図２５】ティッシュボックスＢＸ１１の変形例に係る斜視図である。
【図２６】箱部に設けられる蓋部の変形例に係る説明図である。
【図２７】箱部に設けられる蓋部の変形例に係る説明図である。
【図２８】箱部に設けられる蓋部の変形例に係る説明図である。
【図２９】箱部に設けられる蓋部の変形例に係る説明図である。
【図３０】第１１の実施の形態にかかるティッシュボックスＢＸ１１の構成を説明するための説明図である。
【図３１】箱部に設けられる蓋部の変形例に係る説明図である。
【図３２】ティッシュボックス内におけるティッシュの束の動きを説明するための説明図である。
【図１】
2008184161.tif 000003
【図２】
2008184161.tif 000004
【図３】
2008184161.tif 000005
【図４】
2008184161.tif 000006
【図５】
2008184161.tif 000007
【図６】
2008184161.tif 000008
【図７】
2008184161.tif 000009
【図８】
2008184161.tif 000010
【図９】
2008184161.tif 000011
【図１０】
2008184161.tif 000012
【図１１】
2008184161.tif 000013
【図１２】
2008184161.tif 000014
【図１３】
2008184161.tif 000015
【図１４】
2008184161.tif 000016
【図１５】
2008184161.tif 000017
【図１６】
2008184161.tif 000018
【図１７】
2008184161.tif 000019
【図１８】
2008184161.tif 000020
【図１９】
2008184161.tif 000021
【図２０】
2008184161.tif 000022
【図２１】
2008184161.tif 000023
【図２２】
2008184161.tif 000024
【図２３】
2008184161.tif 000025
【図２４】
2008184161.tif 000026
【図２５】
2008184161.tif 000027
【図２６】
2008184161.tif 000028
【図２７】
2008184161.tif 000029
【図２８】
2008184161.tif 000030
【図２９】
2008184161.tif 000031
【図３０】
2008184161.tif 000032
【図３１】
2008184161.tif 000033
【図３２】
2008184161.tif 000034